(57)【要約】【課題】水性顔料インクと水性染料インクの混合による顔料の凝集を抑制でき、かつ、発色性に優れ、目詰まり回復性、クリーニング動作を伴う吐出安定性に優れたインクジェット記録用水性インクセット及び記録方法を提供する。【解決手段】本発明の一態様は、水及び色剤として顔料を含有する水性顔料インクと、水及び色剤として染料を含有する水性染料インクとを含むインクジェット記録用水性インクセットであって、前記顔料インクの２価金属イオンの濃度が１０ｐｐｍ以上であり、前記染料インクのカリウムイオン濃度が５０ｐｐｍ以下である。【選択図】なし【特許請求の範囲】
【請求項１】
水及び色剤として顔料を含有する水性顔料インクと、水及び色剤として染料を含有する水性染料インクとを含むインクジェット記録用水性インクセットであって、
前記顔料インクの２価金属イオンの濃度が１０ｐｐｍ以上であり、
前記染料インクのカリウムイオン濃度が５０ｐｐｍ以下である、
インクジェット記録用水性インクセット。
【請求項２】
前記染料インクのリチウムイオン及びナトリウムイオンの濃度の合計が６００ｐｐｍ以上である、
請求項１記載のインクジェット記録用水性インクセット。
【請求項３】
イエローインク、マゼンタインク、シアンインク、ブラックインクを含み、
ブラックインクが前記顔料インクにより構成され、イエローインク、マゼンタインク、及びシアンインクが前記染料インクにより構成される、
請求項１記載のインクジェット記録用水性インクセット。
【請求項４】
前記シアンインクは、下記式（Ｃ− １）及び下記式（Ｃ− ２）で表される色材からなる群より選ばれる１種以上を含む、
請求項３記載のインクジェット記録用水性インクセット。
【化１】
2018002858.tif 000021
（式（Ｃ−１）中、
Ｒ2、Ｒ3、Ｒ6、Ｒ7、Ｒ10、Ｒ11、Ｒ14及びＲ15は、各々独立して、水素原子、ハロゲン原子、アルキル基、シクロアルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基又はイオン性親水性基を表す。これらの基は、さらに置換基を有していてもよい。
Ｚ1、Ｚ2、Ｚ3、及びＺ4は、各々独立して、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換のヘテロ環基を表す。但し、Ｚ1、Ｚ2、Ｚ3、及びＺ4のうち少なくとも１つは、イオン性親水性基を置換基として有する。
ｌ、ｍ、ｎ、ｐ、ｑ1、ｑ2、ｑ3及びｑ4は、各々独立して、１又は２を表す。
Ｍ1は、水素原子、金属元素、金属酸化物、金属水酸化物又は金属ハロゲン化物を表す。）
【化２】
2018002858.tif 000022
（式（Ｃ−２）中、
Ｒ1、Ｒ4、Ｒ5、Ｒ8、Ｒ9、Ｒ12、Ｒ13及びＲ16は、各々独立して、水素原子、ハロゲン原子、アルキル基、シクロアルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基又はイオン性親水性基を表す。これらの基は、さらに置換基を有していてもよい。
Ｚ5、Ｚ6、Ｚ7、及びＺ8は、各々独立して、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換のヘテロ環基を表す。但し、Ｚ5、Ｚ6、Ｚ7、及びＺ8のうち少なくとも１つは、イオン性親水性基を置換基として有する。
ｔ、ｕ、ｖ、ｗ、ｑ5、ｑ6、ｑ7及びｑ8は、各々独立して、１又は２を表す。
Ｍ2は、水素原子、金属元素、金属酸化物、金属水酸化物又は金属ハロゲン化物を表す。）
【請求項５】
前記マゼンタインクは、下記式（Ｍ−１）及び下記式（Ｍ−２）で表される色材からなる群より選ばれる１種以上を含む、
請求項３に記載のインクジェット記録用水性インクセット。
【化３】
2018002858.tif 000023
（式（Ｍ−１）中、ＡM1は、炭素数１もしくは２のアルキレン基、フェニレン基を含有する炭素数１もしくは２のアルキレン基又は下記式（Ｍ−１−１）で表される基を表し、ＸM1は、アミノ基、ヒドロキシ基、塩素原子、又はスルホ基もしくはカルボキシ基で置換されたフェノキシ基を表す。）
【化４】
2018002858.tif 000024
（式（Ｍ−１−１）中、ＲM1は、水素原子又はアルキル基を表す。）
【化５】
2018002858.tif 000025
（上記式（Ｍ−２）中、ＡM2は、５員複素環基を表し、
ＢM21及びＢM22は、各々−ＣＲM21＝、−ＣＲM22＝を表すか、あるいはいずれか一方が窒素原子，他方が−ＣＲM21＝又は−ＣＲM22＝を表し、
ＲM23，ＲM24は、各々独立して、水素原子、脂肪族基、芳香族基、複素環基、アシル基、アルコキシカルボニル基、アリールオキシカルボニル基、カルバモイル基、アルキルスルホニル基、アリールスルホニル基、又はスルファモイル基を表わし、ＲM23，ＲM24は、更に置換基を有していてもよく、
ＧM2、ＲM21、ＲM22は、各々独立して、水素原子、ハロゲン原子、脂肪族基、芳香族基、複素環基、シアノ基、カルボキシル基、カルバモイル基、アルコキシカルボニル基、アリールオキシカルボニル基、アシル基、ヒドロキシ基、アルコキシ基、アリールオキシ基、シリルオキシ基、アシルオキシ基、カルバモイルオキシ基、ヘテロ環オキシ基、アルコキシカルボニルオキシ基、アリールオキシカルボニルオキシ基、アルキル基又はアリール基又は複素環基で置換されたアミノ基、アシルアミノ基、ウレイド基、スルフアモイルアミノ基、アルコキシカルボニルアミノ基、アリールオキシカルボニルアミノ基、アルキル及びアリールスルホニルアミノ基、アリールオキシカルボニルアミノ基、ニトロ基、アルキル及びアリールチオ基、アルキル及びアリールスルホニル基、アルキル及びアリールスルフィニル基、スルファモイル基、スルホ基、又はヘテロ環チオ基を表し、ＧM2、ＲM21、ＲM22は、更に置換されていてもよく、
ＲM21とＲM23、あるいはＲM23とＲM24が結合して５〜６員環を形成してもよい。）
【請求項６】
前記イエローインクは、下記式（Ｙ−１）で表される色材からなる群より選ばれる１種以上を含む、
請求項３に記載のインクジェット記録用水性インクセット。
【化６】
2018002858.tif 000026
（式（Ｙ−１）中、Ｒ4は置換基を表し、Ｒ5は−ＯＲ6又は−ＮＨＲ7を表し、Ｒ6及びＲ7は水素原子又は置換基を表し、Ｘ3は２価の連結基を表し、ｎ０は０又は１であり、Ａｒ3は２価のヘテロ環基を表し、Ａｒ4はアルキル基、アリール基又はトリアジン基を表す。）
【請求項７】
請求項１〜６のいずれか一項に記載の前記顔料インク及び前記染料インクを、ノズルから吐出して記録する、記録方法。
【請求項８】
請求項１〜６のいずれか一項に記載の前記顔料インク及び前記染料インクを含むインクセットと、
前記顔料インク及び前記染料インクを吐出するためのノズル列をそれぞれ備えたノズル面と、
吸引時に前記ノズル面に近接して配置され、前記ノズル列からインクを吸引するインク吸収材を有するキャップ部材と、
を備えたインクジェット装置により記録する記録方法であって、
前記顔料インクのノズル列と前記染料インクのノズル列の間隔をＡμｍ、吸引時のノズル面とインク吸収材との距離をＢμｍとするとき、Ａ＞Ｂの関係にある、
記録方法。
【発明の詳細な説明】
【技術分野】
【０００１】
本発明は、インクジェット記録用水性インクセット及び記録方法に関する。
【背景技術】
【０００２】
従来から、色材として顔料または染料を含有するインクが知られている。色材として顔料を含有する顔料インクは、滲みが少なく、耐水性や耐光性が良好であるという点から、普通紙やインク受容層を有する記録紙への文字や画像等の記録、特に、普通紙への文字等の記録に好ましく用いられる。また、色材として染料を含有する染料インクは、光沢性および発色性が良好であり、色彩が鮮明であるという点から、普通紙やインク受容層を有する記録紙への文字や画像等の記録、特に、インク受容層有する記録紙への画像等の記録に好ましく用いられる。
また、近年は、インクジェット記録装置の小型化に伴い、ノズルの高集積化も進んでいる。
【０００３】
上記のような特性を備えた顔料インクおよび染料インクを併用すると、被記録媒体に記録される文字および画像の両方の記録品質が優れたものとなる。このような理由から、近年、顔料インクおよび染料インクの両方を備えた液滴吐出装置が広く用いられている。例えば、色材としてカーボンブラック等の黒色顔料を用いた黒インクと、色材として染料を用いたカラーインクの組み合わせからなるインクセットが知られている。このようなインクセットを用いてプリントを行った場合、主に黒色が用いられる文字データをプリントする際には、文字のエッジがシャープでコントラストが高く、文字の視認性に優れ、グラフィックデータ等をプリントする際には、カラー部は鮮やかな色彩を呈するため、文字の視認性と、カラー部の鮮やかさとを両立させることができる。
【０００４】
しかしながら、色材として顔料を用いた顔料インクと、色材として染料を用いた染料インクからなるインクセットは、顔料インクと染料インクとが接触、混合することによって、染料インク中の染料のカウンターイオンが顔料の分散を壊してしまい、顔料が凝集することが知られている。
【０００５】
ノズル内で顔料インクと染料インクが接すると、ノズル内で顔料が凝集し、ノズル詰まりや吐出不良の原因となる。また、ノズル面やワイプ部材上で顔料インクと染料インクが接すると、ノズル面やワイプ部材上で生じた顔料凝集物が、クリーニング時に実施されるワイピング動作によって、ノズル面に転写したり、ノズル孔を詰まらせたりして、目詰まりや吐出不良の原因となる。
【０００６】
これらの対策として、ノズル内やノズル面、ワイプ部材等で染料と顔料が混ざらないように、染料インク用と顔料インク用に、プリンターのヘッドやメンテナンスユニットを各々独立して構成したり、同一ヘッドにおいて、染料インクノズルと顔料インクノズルの間隔をあけることで、染料インクと顔料インクとが接触しにくくなるようにノズル列配置を構成したりすることも考えられるが、いずれの場合も、プリンターの大型化や、プリンターの製造コストが高くなってしまうという問題があった。
【０００７】
従来の低コストなインクジェット記録装置に搭載した場合であっても、顔料の凝集を抑制するためのインクセットが提案されている（例えば特許文献１、２参照）。特許文献１では、顔料インクは、カリウムイオン及びナトリウムイオンのイオン濃度の合計が２００ｐｐｍ以下であり、かつ、２価以上の金属イオンのイオン濃度の合計が１０ｐｐｍ以下であり、染料インクは、カリウムイオン及びナトリウムイオンのイオン濃度の合計が４００ｐｐｍ以下であり、かつ、２価以上の金属イオンのイオン濃度の合計が１０ｐｐｍ以下であることが提案されている。特許文献２では、顔料インクは、リチウムイオン、カリウムイオン及びナトリウムイオンのイオン濃度の合計が６０ｐｐｍ以上であり、かつ、２価以上の金属イオンのイオン濃度の合計が１０ｐｐｍ以下であり、染料インクは、リチウムイオン、カリウムイオン及びナトリウムイオンのイオン濃度の合計が１８００ｐｐｍ以下であり、かつ、２価以上の金属イオンのイオン濃度の合計が１０ｐｐｍ以下であることが提案されている。
【先行技術文献】
【特許文献】
【０００８】
【特許文献１】特開２００４−３３９２８４号公報
【特許文献２】特開２００４−３４６１６０号公報
【発明の概要】
【発明が解決しようとする課題】
【０００９】
しかしながら、上記特許文献に記載のインクセットは、顔料インク及び染料インク中に含まれる２価の金属イオンのイオン濃度を１０ｐｐｍ以下と制限していることから、色材の含有量を増やそうとした場合、２価の金属イオンのイオン濃度も相対的に増えてしまうことから、色材の濃度を低くせざるを得ず、発色性に課題があった。また、染料インクのカウンターイオンである、リチウムイオン、カリウムイオン、ナトリウムイオンの合計を制限していることから、色材の水溶解性が低くなる傾向にあるため、発色性の低下や目詰まり回復性の悪化等の課題があった。
【００１０】
従って、顔料インクと染料インクとが併用可能で、従来からある低コストで小型のメンテナンスユニットと、ノズルを高集積化したヘッドを有するインクジェット記録装置に搭載した場合であっても、顔料の凝集を抑制でき、かつ、優れた発色性と目詰まり回復性、クリーニング動作を伴う吐出安定性等を満足し得るインクセットが必要とされている。
【００１１】
本発明の一態様は、水性顔料インクと水性染料インクの混合による顔料の凝集を抑制でき、かつ、発色性に優れ、目詰まり回復性、クリーニング動作を伴う吐出安定性に優れたインクジェット記録用水性インクセット及び記録方法を提供するものである。
【課題を解決するための手段】
【００１２】
本発明者らは、上記課題を解決するために鋭意検討した。その結果、水性染料インクの染料のカウンターイオンのうち、カリウムイオンが主として水性顔料インク中の顔料の分散性を破壊する要因となっていることを見出して、本発明を完成させた。
【００１３】
上記課題を解決するため、本発明の一態様は、水及び色剤として顔料を含有する水性顔料インクと、水及び色剤として染料を含有する水性染料インクとを含むインクジェット記録用水性インクセットであって、前記顔料インクの２価金属イオンの濃度が１０ｐｐｍ以上であり、前記染料インクのカリウムイオン濃度が５０ｐｐｍ以下である。
【００１４】
上記構成によれば、染料インクのカリウムイオン濃度が５０ｐｐｍ以下であれば、顔料インクと染料インクとが混合した場合において、顔料の凝集を抑制することができる。また、カリウムイオン濃度が５０ｐｐｍ以下であれば、染料のカウンターイオンとしてナトリウムイオンやリチウムイオンを増やしてもよいため、染料の水溶解性を上げることが可能となり、染料インク中の染料の含有量を増加させることができ、発色性を向上させることができる。また、本発明によれば、染料インク中のカリウムイオン濃度を５０ｐｐｍ以下にすることで、顔料インクの２価金属イオンの濃度を１０ｐｐｍ以上であっても、顔料の凝集を抑制することができるため、顔料インク中の顔料の含有量を増加させることができ、発色性を向上させることができる。また、顔料の凝集によるノズル詰まりやクリーニング動作を伴う吐出安定性等を回避できるため、染料インクと顔料インクを独立したメンテナンスユニットを採用しなくてもよく、従来のメンテナンスユニットを使用することができるため、小型化・低コスト化のインクジェット記録装置を実現できる。
【００１５】
好ましくは、前記染料インクのリチウムイオン及びナトリウムイオンの濃度の合計が６００ｐｐｍ以上である。これにより、染料の水溶解性を向上でき、染料インク中への染料の含有量を増加させることができることから発色性を向上できる。また、染料インクが乾燥固化した際の、インクへの再溶解性も向上するため、目詰まり回復性が向上する。さらに、リチウムイオン濃度が増加することにより、ブロンズ現象（乾燥後の印刷面をいろいろな角度から見たときに金属の輝きに似た複雑な微妙な色が地色の上に浮かび上がって観察される現象）を抑制することができる。
【００１６】
好ましくは、イエローインク、マゼンタインク、シアンインク、ブラックインクを含み、ブラックインクが前記顔料インクにより構成され、イエローインク、マゼンタインク、及びシアンインクが前記染料インクにより構成される。これにより、被記録媒体に記録される文字および画像の両方の記録品質が優れたものとなる。
【００１７】
好ましくは、前記シアンインクは、下記式（Ｃ− １）及び下記式（Ｃ− ２）で表される色材からなる群より選ばれる１種以上を含む。これにより、耐オゾン性に優れたシアンインク、ひいてはインクセットを提供できる。
【化１】
2018002858.tif 000002
（式（Ｃ−１）中、
Ｒ2、Ｒ3、Ｒ6、Ｒ7、Ｒ10、Ｒ11、Ｒ14及びＲ15は、各々独立して、水素原子、ハロゲン原子、アルキル基、シクロアルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基又はイオン性親水性基を表す。これらの基は、さらに置換基を有していてもよい。
Ｚ1、Ｚ2、Ｚ3、及びＺ4は、各々独立して、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換のヘテロ環基を表す。但し、Ｚ1、Ｚ2、Ｚ3、及びＺ4のうち少なくとも１つは、イオン性親水性基を置換基として有する。
ｌ、ｍ、ｎ、ｐ、ｑ1、ｑ2、ｑ3及びｑ4は、各々独立して、１又は２を表す。
Ｍ1は、水素原子、金属元素、金属酸化物、金属水酸化物又は金属ハロゲン化物を表す。）
【化２】
2018002858.tif 000003
（式（Ｃ−２）中、
Ｒ1、Ｒ4、Ｒ5、Ｒ8、Ｒ9、Ｒ12、Ｒ13及びＲ16は、各々独立して、水素原子、ハロゲン原子、アルキル基、シクロアルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基又はイオン性親水性基を表す。これらの基は、さらに置換基を有していてもよい。
Ｚ5、Ｚ6、Ｚ7、及びＺ8は、各々独立して、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換のヘテロ環基を表す。但し、Ｚ5、Ｚ6、Ｚ7、及びＺ8のうち少なくとも１つは、イオン性親水性基を置換基として有する。
ｔ、ｕ、ｖ、ｗ、ｑ5、ｑ6、ｑ7及びｑ8は、各々独立して、１又は２を表す。
Ｍ2は、水素原子、金属元素、金属酸化物、金属水酸化物又は金属ハロゲン化物を表す。）
【００１８】
好ましくは、前記マゼンタインクは、下記式（Ｍ−１）及び下記式（Ｍ−２）で表される色材からなる群より選ばれる１種以上を含む。これにより、耐オゾン性に優れたマゼンタインク、ひいてはインクセットを提供できる。
【化３】
2018002858.tif 000004
（式（Ｍ−１）中、ＡM1は、炭素数１もしくは２のアルキレン基、フェニレン基を含有する炭素数１もしくは２のアルキレン基又は下記式（Ｍ−１−１）で表される基を表し、ＸM1は、アミノ基、ヒドロキシ基、塩素原子、又はスルホ基もしくはカルボキシ基で置換されたフェノキシ基を表す。）
【化４】
2018002858.tif 000005
（式（Ｍ−１−１）中、ＲM1は、水素原子又はアルキル基を表す。）
【化５】
2018002858.tif 000006
（上記式（Ｍ−２）中、ＡM2は、５員複素環基を表し、
ＢM21及びＢM22は、各々−ＣＲM21＝、−ＣＲM22＝を表すか、あるいはいずれか一方が窒素原子，他方が−ＣＲM21＝又は−ＣＲM22＝を表し、
ＲM23，ＲM24は、各々独立して、水素原子、脂肪族基、芳香族基、複素環基、アシル基、アルコキシカルボニル基、アリールオキシカルボニル基、カルバモイル基、アルキルスルホニル基、アリールスルホニル基、又はスルファモイル基を表わし、ＲM23，ＲM24は、更に置換基を有していてもよく、
ＧM2、ＲM21、ＲM22は、各々独立して、水素原子、ハロゲン原子、脂肪族基、芳香族基、複素環基、シアノ基、カルボキシル基、カルバモイル基、アルコキシカルボニル基、アリールオキシカルボニル基、アシル基、ヒドロキシ基、アルコキシ基、アリールオキシ基、シリルオキシ基、アシルオキシ基、カルバモイルオキシ基、ヘテロ環オキシ基、アルコキシカルボニルオキシ基、アリールオキシカルボニルオキシ基、アルキル基又はアリール基又は複素環基で置換されたアミノ基、アシルアミノ基、ウレイド基、スルフアモイルアミノ基、アルコキシカルボニルアミノ基、アリールオキシカルボニルアミノ基、アルキル及びアリールスルホニルアミノ基、アリールオキシカルボニルアミノ基、ニトロ基、アルキル及びアリールチオ基、アルキル及びアリールスルホニル基、アルキル及びアリールスルフィニル基、スルファモイル基、スルホ基、又はヘテロ環チオ基を表し、ＧM2、ＲM21、ＲM22は、更に置換されていてもよく、
ＲM21とＲM23、あるいはＲM23とＲM24が結合して５〜６員環を形成してもよい。）
【００１９】
好ましくは、前記イエローインクは、下記式（Ｙ−１）で表される色材からなる群より選ばれる１種以上を含む。これにより、耐オゾン性に優れたイエローインク、ひいてはインクセットを提供できる。
【化６】
2018002858.tif 000007
（式（Ｙ−１）中、Ｒ4は置換基を表し、Ｒ5は−ＯＲ6又は−ＮＨＲ7を表し、Ｒ6及びＲ7は水素原子又は置換基を表し、Ｘ3は２価の連結基を表し、ｎ０は０又は１であり、Ａｒ3は２価のヘテロ環基を表し、Ａｒ4はアルキル基、アリール基又はトリアジン基を表す。）
【００２０】
上記の課題を解決するため、本発明の一態様は、上述した顔料インク及び染料インクを含むインクセットと、前記顔料インク及び前記染料インクを吐出するためのノズル列をそれぞれ備えたノズル面と、吸引時に前記ノズル面に近接して配置され、前記ノズル列からインクを吸引するインク吸収材を有するキャップ部材と、を備えたインクジェット装置により記録する記録方法であって、顔料インクのノズル列と染料インクのノズル列の間隔をＡμｍ、吸引時のノズル面とインク吸収材との距離をＢμｍとするとき、Ａ＞Ｂの関係にある、記録方法である。
【００２１】
上記構成によれば、顔料インクのノズル列と染料インクのノズル列とが近接配置されている場合において、キャップ部材による吸引時に、ノズルから排出されようとしているインクがインク吸収材に吸収される前にノズルプレート上で顔料インクと染料インクが混合してしまうものの、顔料の凝集を抑制することができる。このため、ノズル列を高集積化しても、簡易なメンテナンスユニットで目詰まりや吐出不良を抑制することができる記録方法を提供できる。
【図面の簡単な説明】
【００２２】
【図１】本実施形態におけるインクジェット装置の構成を示す斜視図。
【図２】本実施形態におけるインクジェットヘッドに設けられたノズルの配列を示す概略図。
【図３】本実施形態におけるインクジェットヘッドのノズル面とキャップ部材の位置関係を示す概略図。
【図４】インクジェットヘッドに設けられたノズルの配列の変形例を示す概略図。
【発明を実施するための形態】
【００２３】
以下、本発明を実施するための形態について詳細に説明する。なお、本発明は、以下の実施形態に制限されるものではなく、その要旨の範囲内で種々変形して実施することができる。
【００２４】
１．インクセット
本発明の一実施形態に係るインクセットは、水及び色剤として顔料を含有する水性顔料インクと、水及び色剤として染料を含有する水性染料インクとを含むインクジェット記録用水性インクセットであって、前記顔料インクの２価金属イオンの濃度が１０ｐｐｍ以上であり、前記染料インクのカリウムイオン濃度が５０ｐｐｍ以下である。
【００２５】
本発明者らによって、染料インクの染料のカウンターイオンのうち、カリウムイオンが顔料の凝集に影響を及ぼすことが見出された。このため、本実施形態では、染料インクのカリウムイオン濃度を５０ｐｐｍ以下と規定することにより、顔料インクと染料インクとが混合した場合において、顔料の凝集を抑制することができる。また、染料インクの染料のカウンターイオンとしてナトリウムイオンやリチウムイオンを使用することができることから、染料インク中の染料の含有量を増加させることができ、発色性を向上させることができる。また、本発明によれば、顔料インクの２価金属イオンの濃度を１０ｐｐｍ以上とすることができることから、顔料インク中の顔料の含有量を増加させることができ、発色性を向上させることができる。
【００２６】
好ましくは、染料インクのリチウムイオン及びナトリウムイオンの濃度の合計が６００ｐｐｍ以上である。これにより、染料インク中の染料の含有量が増加することから発色性を向上できる。また、染料インク中の染料のカウンターイオンが多くなることから、染料の溶解性を保持することができ、目詰まりを防止することができる。さらに、リチウムイオン濃度が増加することにより、ブロンズ現象を抑制することができる。また、好ましくは、染料インクのリチウムイオン及びナトリウムイオンの濃度の合計が５０００ｐｐｍ以下である。これにより、ヘッド詰まりや流路フィルタ詰まり原因となる、プラスティック部材等に含まれる離型剤の脂肪酸との反応で生ずる脂肪酸塩の発生を抑制することができる。
【００２７】
インクセットは、イエローインク、マゼンタインク、シアンインク、ブラックインクを含み、好ましくは、ブラックインクが顔料インクにより構成され、イエローインク、マゼンタインク、及びシアンインクが染料インクにより構成される。このようなインクセットを用いてプリントを行った場合、主に黒色が用いられる文字データをプリントする際には、文字のエッジがシャープでコントラストが高く、文字の視認性に優れ、グラフィックデータ等をプリントする際には、カラー部は鮮やかな色彩を呈するため、文字の視認性と、カラー部の鮮やかさとを両立させることができる。
【００２８】
１．１．顔料インク
顔料インクは、水および顔料を含有する。以下、顔料インクに含まれる成分について説明する。
【００２９】
顔料としては、公知の顔料を用いることができるが、自己分散型の顔料であることが好ましい。自己分散型の顔料とは、分散剤なしに水性媒体中に分散および／または溶解することが可能な顔料である。ここで、「分散剤なしに水性媒体中に分散および／または溶解」とは、顔料を分散させるための分散剤を用いなくても、その表面の親水基により、水性媒体中に安定に存在している状態をいう。自己分散型の顔料を用いると、顔料を分散させるための分散剤の使用量を低減できるので、分散剤に起因するインクの発泡を低減でき、吐出安定性の良好なインクが調製しやすい。
【００３０】
自己分散型の顔料は、その顔料表面に親水基を有することができる。顔料表面の親水基は、−ＯＭ、−ＣＯＯＭ、−ＣＯ−、−ＳＯ3Ｍ、−ＳＯ2Ｍ、−ＳＯ2ＮＨ2、−ＲＳＯ2Ｍ、−ＰＯ3ＨＭ、−ＰＯ3Ｍ2、−ＳＯ2ＮＨＣＯＲ、−ＮＨ3、および−ＮＲ3（式中のＭは、水素原子、アルカリ金属（例えば、リチウム、ナトリウム、カリウム）、アンモニウム、置換基を有していてもよいフェニル基、または有機アンモニウムを表し、Ｒは、炭素原子数１〜１２のアルキル基または置換基を有していてもよいナフチル基を表す）からなる群から選択される一以上の親水基であることが好ましい。
【００３１】
本実施形態に係る顔料インクに用いる顔料は、金属塩構造を有することが好ましい。上述したように、顔料インクが金属塩構造を有していると、顔料の分散性が改善し、顔料の凝集が発生しにくくなる。
【００３２】
顔料は、例えば、物理的処理または化学的処理を施すことで、前記親水基を顔料の表面に結合（グラフト）させることにより製造される。前記物理的処理としては、例えば真空プラズマ処理等が例示できる。また前記化学的処理としては、例えば水中で酸化剤により酸化する湿式酸化法や、ｐ−アミノ安息香酸を顔料表面に結合させることによりフェニル基を介してカルボキシル基を結合させる方法等が例示できる。
【００３３】
顔料インクをブラック色のインク（以下、「顔料ブラックインク」ともいう。）として用いることが好ましく、この場合、顔料は、次亜ハロゲン酸および／または次亜ハロゲン酸塩による酸化処理、オゾンによる酸化処理、または過硫酸および／または過硫酸塩による酸化処理により表面処理されたものであることが、高発色という点で好ましい。
【００３４】
顔料インクをブラック色以外のカラーのインク（以下、「顔料カラーインク」ともいう。）として用いてもよく、この場合には、顔料は、その表面にフェニル基を介して上記親水基を有するものであることが、高発色という点で好ましい。顔料表面にフェニル基を介して親水基を結合させる表面処理手段としては、種々の公知の表面処理手段を適用することができ、スルファニル酸、ｐ−アミノ安息香酸、４−アミノサリチル酸等を顔料表面に結合させることによりフェニル基を介して親水基を結合させる方法等が例示できる。
【００３５】
顔料ブラックインクに用いられる顔料は、特に限定されないが、例えば、コンタクト法、ファーネス法、サーマル法などの公知の方法によって製造されたカーボンブラックを使用することができる。カーボンブラックの好ましい具体例としては、Ｎｏ．２３００、９００、ＭＣＦ８８、Ｎｏ．２０Ｂ、Ｎｏ．３３、Ｎｏ．４０、Ｎｏ．４５、Ｎｏ．５２、ＭＡ７、ＭＡ８、ＭＡ１００、Ｎｏ２２００Ｂ（以上三菱化学（株）製）、カラーブラックＦＷ１、ＦＷ２、ＦＷ２Ｖ、ＦＷ１８、ＦＷ２００、Ｓ１５０、Ｓ１６０、Ｓ１７０、プリテックス３５、Ｕ、Ｖ、１４０Ｕ、スペシャルブラック６、５、４Ａ、４、２５０（以上デグサ社製）、コンダクテックスＳＣ、ラーベン１２５５、５７５０、５２５０、５０００、３５００、１２５５、７００（以上コロンビアカーボン社製）、リガール４００Ｒ、３３０Ｒ、６６０Ｒ、モグルＬ、モナーク７００、８００、８８０、９００、１０００、１１００、１３００、１４００、エルフテックス１２、キャボジェット３００（キャボット社製）等が挙げられる。これらのカーボンブラックは一種または二種以上の混合物として用いても良い。
【００３６】
また、顔料カラーインクに用いられる顔料としては、特に限定されないが、カラーインデックスに記載されているピグメントイエロー、ピグメントレッド、ピグメントバイオレット、ピグメントブルー等の顔料の他、フタロシアニン系、アゾ系、アントラキノン系、アゾメチン系、縮合環系等の顔料が例示できる。また、橙色２２８号、４０５号、青色１号、４０４号等の有機顔料や酸化チタン、酸化亜鉛、酸化ジルコニウム、酸化鉄、群青、紺青、酸化クローム等の無機顔料が挙げられ、具体的には、例えば、Ｃ．Ｉ．ピグメントレッド１，３，５，８，９，１６，１７，１９，２２，３８，５７：１，９０，１１２，１２２，１２３，１２７，１４４，１４６，１８４、Ｃ．Ｉ．ピグメントバイオレッド１，３，５：１，１６，１９，２３，３８、Ｃ．Ｉ．ピグメントブルー１，２，１５，１５：１，１５：２，１５：３，１５：４，１６等が挙げられる。
【００３７】
顔料の含有量は、顔料インクの全質量に対して、好ましくは０．１質量％以上２０質量％以下であり、より好ましくは１質量％以上２０質量％以下であり、特に好ましくは１質量％以上１０質量％以下である。０．１質量％未満であると、普通紙のような、インク受容層を持たない記録媒体への記録において発色性が劣り、２０質量％を超えるとインク粘度の増大したり、目詰まり回復性が悪化する場合がある。
【００３８】
また、顔料は、インクの保存安定性やノズルの目詰まり防止等の観点から、その平均粒径が３０ｎｍ以上３００ｎｍ以下の範囲であることが好ましく、より好ましくは５０ｎｍ以上２５０ｎｍ以下であり、特に好ましくは、５０ｎｍ以上２００ｎｍ以下である。３０ｎｍ未満であると、顔料凝集しやすくなり、インクの保存性が悪化したりする場合がある。３００ｎｍ超であると沈降しやすくなったり、目詰まり回復性が劣化したりする場合がある。
【００３９】
本実施形態では、顔料インクの２価金属イオンの濃度が１０ｐｐｍ以上である。好ましくは１５ｐｐｍ以上であり、より好ましくは２０ｐｐｍである。２価金属イオンは、顔料の製造工程において不可避的に含まれ、顔料の含有量を増加させれば、顔料インク中に含まれる２価金属イオンの濃度も増加する。本実施形態では、染料インクのカリウムイオン濃度が５０ｐｐｍ以下であれば、顔料インクの２価金属イオンの濃度が１０ｐｐｍ以上となっても顔料凝集を抑制することができることから、即ち、顔料インクの顔料含有量を増加させることができるため、発色性を向上させることができる。
【００４０】
上記２価金属イオンとしては、例えば、バリウムイオン、マグネシウムイオン、カルシウムイオン、亜鉛イオン、鉄イオン、銅イオン、ニッケルイオン、コバルトイオン、マンガンイオン、鉛イオン、チタンイオン等を挙げることができる。インク中に複数の上記２価金属イオンを含有する場合、２価金属イオンの濃度は、含有するすべての２価金属イオンの濃度の合計を表す。
【００４１】
インク中の上記イオン濃度を調整する方法としては、例えば、上記インクをイオン交換樹脂に通過させる方法や、特開平９−２５４４１で開示される方法、所望のイオンを含む塩をインクに添加する方法等があるが、これらの方法に限定されるものではない。なお、インク中の各イオン濃度はイオンクロマトグラフを用いた分析等により測定が可能である。
本明細書において、ｐｐｍは、質量基準のｐｐｍを表す。
【００４２】
顔料インクは、水を含有する。水は、上述した顔料を分散もしくは溶解させる主溶媒として機能する。
【００４３】
水は、イオン交換水、限外濾過水、逆浸透水、蒸留水等の純水または超純水のようなイオン性不純物を極力除去したものであることが好ましい。また、紫外線照射または過酸化水素添加等により滅菌した水を用いると、顔料分散液およびこれを用いたインクを長期保存する場合にカビやバクテリアの発生を防止することができるので好適である。
【００４４】
本実施形態に係る顔料インクに含有される水は、顔料インクの全質量に対して、４０質量％以上が好ましく、５０質量％以上であることがより好ましく、６０質量％以上であることが特に好ましい。なお、本明細書において「水性顔料インク」という場合には、顔料インクの全質量に対して、水を４０質量％以上含有するインクのことを指す。
【００４５】
前記顔料インクは、水溶性有機溶剤を含有することが好ましい。上記水溶性有機溶剤は、インクジェットヘッドの先端部におけるインクからの析出発生、乾固防止を主目的として使用される。上記水溶性有機溶剤としては特に限定されないが、揮発性が低く染料溶解性の高いものが好ましく、例えば、ポリエチレングリコール等のポリアルキレングリコール類；エチレングリコール、プロピレングリコール、ブチレングリコール、ジエチレングリコール、ジプロピレングリコール、トリエチレングリコール、トリプロピレングリコール、１，２，６−ヘキサントリオール、チオジグリコール、１，３−ブタンジオール、１，５−ペンタンジオール、ヘキシレングリコール等のアルキレングリコール類；グリセリン；２−ピロリドン、Ｎ−メチル−２−ピロリドン等のピロリドン類等を挙げることができる。これらの水溶性有機溶剤は単独で用いてもよいし、２種類以上を併用してもよい。
【００４６】
上記水溶性有機溶剤の含有量は、５〜４０質量％であることが好ましい。５質量％未満であると、湿潤作用が不充分となり、析出、乾固等の問題を生じることがある。４０質量％を超えると、本発明のインクジェット記録用水性インクが必要以上に増粘して吐出不能になったり、記録紙上での乾燥が極端に遅くなったりする等の問題を生じることがある。より好ましくは、７〜４０質量％、更に好ましくは、１０〜３５質量％である。
【００４７】
更に、浸透性を制御する目的で必要に応じて、多価アルコールモノアルキルエーテルを使用してもよい。上記多価アルコールモノアルキルエーテルは、記録紙へのインク浸透速度を効果的に速めることにより、インクの紙面上での速乾性を向上させ、記録紙上での遅乾性に起因するブリーディング（異なる色の境界でのにじみ）や、浸透に伴うフェザリング（紙の繊維に沿ったヒゲ状のにじみ）を防止することができる。上記多価アルコールアルキルエーテルとしては、例えば、ジエチレングリコールモノメチルエーテル、ジエチレングリコールモノブチルエーテル、ジエチレングリコールモノイソブチルエーテル、ジプロピレングリコールモノメチルエーテル、ジプロピレングリコールモノプロピルエーテル、ジプロピレングリコールモノイソプロピルエーテル、ジプロピレングリコールモノブチルエーテル、トリエチレングリコールモノメチルエーテル、トリエチレングリコールモノブチルエーテル、トリプロピレングリコールモノメチルエーテル、トリプロピレングリコールモノブチルエーテル等を挙げることができる。
【００４８】
上記多価アルコールアルキルエーテルの含有量は、０．３〜１５質量％であることが好ましい。０．３質量％未満であると、記録紙へのインク浸透速度が遅いために、乾燥時間、滲みの問題を生じることがある。１５質量％を超えると、記録紙へのインク浸透速度が速くなり過ぎるため、記録紙の裏側まで本発明のインクジェット記録用水性インクが達してしまったり、滲みを生じたりすることがある。より好ましくは、０．５〜１０質量％である。また、記録媒体へのインクの浸透性や乾燥性を制御する目的で、エタノール、イソプロピルアルコール等の一価アルコールを使用することも可能である。
【００４９】
顔料インクの基本構成は以上の通りであるが、その他従来公知の樹脂バインダー、分散剤、界面活性剤、粘度調整剤、表面張力調整剤、ｐＨ調整剤、染料溶解剤、防腐防カビ剤、防錆剤等を必要に応じて添加することができる。
【００５０】
１．２．染料インク
本実施形態に係る染料インクは、水および染料を含有する。
【００５１】
本実施形態に係るインクセットは、１種類の染料インクを使用することに限られず、複数種の染料インクを含むことができる。複数種の染料インクとしては、特に限定されず、例えば、互いに色相の異なるもの、互いに彩度又は明度の異なるもの等を用いることができる。互いに色相の異なる染料インクとしては、例えば、シアンインクとマゼンタインクのように、互いに含まれる染料の種類が異なるものが挙げられる。互いに彩度又は明度の異なるものとしては、例えば、シアンインクとライトシアンインクのように、互いに含まれる染料の色相が同一だがインク中における染料の含有量が異なるものが挙げられる。
【００５２】
以下、染料インクに含まれる成分について説明する。なお、染料インクには、前述した顔料インクに含まれる成分のうち、顔料以外の成分を同様に含有させることができる。そのため、染料インクおよび顔料インクにおいて、共通して使用できる成分については、その説明を省略する。
【００５３】
本実施形態では、各染料インクのカリウムイオン濃度が５０ｐｐｍ以下に規定される。これにより、顔料インクといずれかの染料インクとが混合した場合において、顔料の凝集を抑制することができる。また、染料インクの染料のカウンターイオンとしてナトリウムイオンやリチウムイオンを使用することができることから、染料インク中の染料の含有量を増加させることができ、発色性を向上させることができる。各染料のカリウムイオン濃度は好ましくは４５ｐｐｍ以下であり、より好ましくは３０ｐｐｍ以下である。
【００５４】
好ましくは、各染料インクのリチウムイオン及びナトリウムイオンの濃度の合計が６００ｐｐｍ以上である。好ましくは、８００ｐｐｍ以上であり、より好ましくは１０００ｐｐｍ以上である。これにより、各染料インク中の染料の含有量が増加することから発色性を向上できる。また、染料インク中の染料のカウンターイオンが多くなることから、染料の溶解性を保持することができ、目詰まりを防止することができる。さらに、リチウムイオン濃度が増加することにより、ブロンズを抑制することができる。
【００５５】
染料のカウンターイオン（カリウムイオン、リチウムイオン、ナトリウムイオン）の濃度を調製する方法として、カウンターイオンを置換するか、イオン量を調節する（増加させる）方法が挙げられる。染料のカウンターイオンを置換する方法としてイオン交換樹脂による方法、ナトリウムなどのイオンを含有する塩を加えて析出させる塩析法が挙げられる。またイオン量を調節する方法として、塩化リチウム、塩化ナトリウム、塩化カリウムを添加する方法等も挙げられる。
【００５６】
インクセットが、イエローインク、マゼンタインク、シアンインク、ブラックインクを含む場合に、イエローインク、マゼンタインク、及びシアンインクが染料インクにより構成されることが好ましい。これにより、被記録媒体に記録される文字および画像の両方の記録品質が優れたものとなる。
【００５７】
染料としては、従来公知の染料を用いてもよく、例えば、直接染料、酸性染料、食用染料、塩基性染料、反応性染料、分散染料、建染染料、可溶性建染染料、反応分散染料等の通常インクジェット記録に使用する各種染料が挙げられる。
【００５８】
好ましくは、シアンインクは、下記式（Ｃ− １）及び下記式（Ｃ− ２）で表される色材からなる群より選ばれる１種以上を含む。
【化７】
2018002858.tif 000008
（式（Ｃ−１）中、
Ｒ2、Ｒ3、Ｒ6、Ｒ7、Ｒ10、Ｒ11、Ｒ14及びＲ15は、各々独立して、水素原子、ハロゲン原子、アルキル基、シクロアルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基又はイオン性親水性基を表す。これらの基は、さらに置換基を有していてもよい。
Ｚ1、Ｚ2、Ｚ3、及びＺ4は、各々独立して、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換のヘテロ環基を表す。但し、Ｚ1、Ｚ2、Ｚ3、及びＺ4のうち少なくとも１つは、イオン性親水性基を置換基として有する。
ｌ、ｍ、ｎ、ｐ、ｑ1、ｑ2、ｑ3及びｑ4は、各々独立して、１又は２を表す。
Ｍ1は、水素原子、金属元素、金属酸化物、金属水酸化物又は金属ハロゲン化物を表す。）
【化８】
2018002858.tif 000009
（式（Ｃ−２）中、
Ｒ1、Ｒ4、Ｒ5、Ｒ8、Ｒ9、Ｒ12、Ｒ13及びＲ16は、各々独立して、水素原子、ハロゲン原子、アルキル基、シクロアルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基又はイオン性親水性基を表す。これらの基は、さらに置換基を有していてもよい。
Ｚ5、Ｚ6、Ｚ7、及びＺ8は、各々独立して、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換のヘテロ環基を表す。但し、Ｚ5、Ｚ6、Ｚ7、及びＺ8のうち少なくとも１つは、イオン性親水性基を置換基として有する。
ｔ、ｕ、ｖ、ｗ、ｑ5、ｑ6、ｑ7及びｑ8は、各々独立して、１又は２を表す。
Ｍ2は、水素原子、金属元素、金属酸化物、金属水酸化物又は金属ハロゲン化物を表す。）
【００５９】
好ましくは、マゼンタインクは、下記式（Ｍ−１）、及び下記式（Ｍ−２）で表される色材からなる群より選ばれる１種以上を含む。
【化９】
2018002858.tif 000010
（式（Ｍ−１）中、ＡM1は、炭素数１もしくは２のアルキレン基、フェニレン基を含有する炭素数１もしくは２のアルキレン基又は下記式（Ｍ−１−１）で表される基を表し、ＸM1は、アミノ基、ヒドロキシ基、塩素原子、又はスルホ基もしくはカルボキシ基で置換されたフェノキシ基を表す。）
【化１０】
2018002858.tif 000011
（式（Ｍ−１−１）中、ＲM1は、水素原子又はアルキル基を表す。）
【化１１】
2018002858.tif 000012
（上記式（Ｍ−２）中、ＡM2は、５員複素環基を表し、
ＢM21及びＢM22は、各々−ＣＲM21＝、−ＣＲM22＝を表すか、あるいはいずれか一方が窒素原子，他方が−ＣＲM21＝又は−ＣＲM22＝を表し、
ＲM23，ＲM24は、各々独立して、水素原子、脂肪族基、芳香族基、複素環基、アシル基、アルコキシカルボニル基、アリールオキシカルボニル基、カルバモイル基、アルキルスルホニル基、アリールスルホニル基、又はスルファモイル基を表わし、ＲM23，ＲM24は、更に置換基を有していてもよく、
ＧM2、ＲM21、ＲM22は、各々独立して、水素原子、ハロゲン原子、脂肪族基、芳香族基、複素環基、シアノ基、カルボキシル基、カルバモイル基、アルコキシカルボニル基、アリールオキシカルボニル基、アシル基、ヒドロキシ基、アルコキシ基、アリールオキシ基、シリルオキシ基、アシルオキシ基、カルバモイルオキシ基、ヘテロ環オキシ基、アルコキシカルボニルオキシ基、アリールオキシカルボニルオキシ基、アルキル基又はアリール基又は複素環基で置換されたアミノ基、アシルアミノ基、ウレイド基、スルフアモイルアミノ基、アルコキシカルボニルアミノ基、アリールオキシカルボニルアミノ基、アルキル及びアリールスルホニルアミノ基、アリールオキシカルボニルアミノ基、ニトロ基、アルキル及びアリールチオ基、アルキル及びアリールスルホニル基、アルキル及びアリールスルフィニル基、スルファモイル基、スルホ基、又はヘテロ環チオ基を表し、ＧM2、ＲM21、ＲM22は、更に置換されていてもよく、
ＲM21とＲM23、あるいはＲM23とＲM24が結合して５〜６員環を形成してもよい。）
【００６０】
好ましくは、イエローインクは、下記式（Ｙ−１）で表される色材からなる群より選ばれる１種以上を含む。
【化１２】
2018002858.tif 000013
（式（Ｙ−１）中、Ｒ4は置換基を表し、Ｒ5は−ＯＲ6又は−ＮＨＲ7を表し、Ｒ6及びＲ7は水素原子又は置換基を表し、Ｘ3は２価の連結基を表し、ｎ０は０又は１であり、Ａｒ3は２価のヘテロ環基を表し、Ａｒ4はアルキル基、アリール基又はトリアジン基を表す。）
【００６１】
染料の含有量は、染料インクの全質量に対して、好ましくは０．１質量％以上２５質量％以下であり、より好ましくは１質量％以上２０質量％以下であり、特に好ましくは１質量％以上１５質量％以下である。０．１質量％未満であると発色性が劣る場合があり、２５質量％超であると、水への溶解性が不足したり、目詰まり回復性が悪化したりする場合がある。
【００６２】
染料インクは、顔料と同様に、水を含有する。水は、上述した染料を分散もしくは溶解させる主溶媒として機能する。
水は、イオン交換水、限外濾過水、逆浸透水、蒸留水等の純水または超純水のようなイオン性不純物を極力除去したものであることが好ましい。また、紫外線照射または過酸化水素添加等により滅菌した水を用いると、顔料分散液およびこれを用いたインクを長期保存する場合にカビやバクテリアの発生を防止することができるので好適である。
【００６３】
本実施形態に係る顔料インクに含有される水は、顔料インクの全質量に対して、４０質量％以上が好ましく、５０質量％以上であることがより好ましい。なお、本明細書において「水性顔料インク」という場合には、顔料インクの全質量に対して、水を４０質量％以上含有するインクのことを指す。
【００６４】
前記染料インクは、上述の顔料インクと同様に水溶性有機溶剤を含有することが好ましい。また、染料インクは、その他従来公知の樹脂バインダー、分散剤、界面活性剤、粘度調整剤、表面張力調整剤、ｐＨ調整剤、染料溶解剤、防腐防カビ剤、防錆剤等を必要に応じて添加することができる。
【００６５】
２．インクジェット記録装置
本発明の一実施形態に係るインクジェット記録装置は、ヘッド部材を有する。以下、本発明の一実施形態に係るインクジェット記録装置について、図１〜図３を参照して説明する。なお、以下の説明に用いる各図面では、各部材を認識可能な大きさとするため、各部材の縮尺を適宜変更している。
【００６６】
図１は、本実施形態におけるインクジェット記録装置としてのプリンター１の構成を示す斜視図である。なお、このプリンター１は、シリアルプリンターを表している。
【００６７】
図１に示すように、プリンター１は、インクジェットヘッド２を搭載すると共にインクカートリッジ３を着脱可能に装着するキャリッジ４と、インクジェットヘッド２の下方に配設され被記録媒体６が搬送されるプラテン５と、キャリッジ４を被記録媒体６の媒体幅方向に移動させるキャリッジ移動機構７と、被記録媒体６を媒体送り方向に搬送する媒体送り機構８と、を有するものである。加えて、プリンター１は、当該プリンター１全体の動作を制御する制御装置ＣＯＮＴを有している。なお、上記媒体幅方向とは、主走査方向（ヘッド走査方向）である。上記媒体送り方向とは、副走査方向（主走査方向に直交する方向）である。
【００６８】
本実施形態に係るインクカートリッジ３は、独立したインクカートリッジ３ａ、３ｂ、３ｃ、３ｄからなる。インクカートリッジ３ａ〜３ｄには、それぞれ、上述した顔料インクおよび染料インクが充填される。本実施形態では、インクカートリッジ３ａには顔料インク、インクカートリッジ３ｂには第１染料インク、インクカートリッジ３ｃには第２染料インク、インクカートリッジ３ｄには第３染料インク、が充填されている。
【００６９】
インクカートリッジ３の配列順は、特に限定されず、所望の順序に配列することができる。例えば、図１の例では、インクカートリッジ３ａ〜３ｄは、主走査方向の一方の側（以下、「Ｓ１」ともいう）から主走査方向の他方の側（以下、「Ｓ２」ともいう。）に向かって、インクカートリッジ３ａ、３ｄ、３ｃ、３ｄの順に配列されている。なお、第１染料インク、第２染料インク、および第３染料インクは、上述した染料インクに相当し、互いに色相の異なるものである。
【００７０】
本実施形態では、インクカートリッジの数が４つであるが、これに限定されず、所望の数のインクカートリッジを搭載することができる。
【００７１】
なお、インクカートリッジ３は、本実施形態のようにキャリッジ４に装着するものに限らず、これに替えて例えば、プリンター１の筐体側に装着しインク供給チューブを介してインクジェットヘッド２に供給するタイプのものであってもよい。
【００７２】
キャリッジ４は、主走査方向に架設された支持部材であるガイドロッド９に支持された状態で取り付けられたものである。また、キャリッジ４は、キャリッジ移動機構７によりガイドロッド９に沿って主走査方向に移動するものである。
【００７３】
リニアエンコーダ１０は、キャリッジ４の主走査方向上における位置を信号で検出するものである。この検出された信号は、位置情報として制御装置ＣＯＮＴに送信されるようになっている。制御装置ＣＯＮＴは、このリニアエンコーダ１０からの位置情報に基づいてインクジェットヘッド２の走査位置を認識し、インクジェットヘッド２による記録動作（吐出動作）などを制御するようになっている。また、制御装置ＣＯＮＴは、キャリッジ４の移動速度を可変制御可能な構成となっている。
【００７４】
図２は、本実施形態に係るインクジェットヘッド２におけるノズル面２１ａを示す概略図である。図２に示すように、インクジェットヘッド２は、ノズル面２１ａを備える。インクの吐出面でもあるノズル面２１ａには、複数のノズル列１６が配列されている。複数のノズル列１６は、ノズル列毎に、インクを吐出するための複数のノズル孔２１ｂからなる。
【００７５】
複数のノズル列１６は、ノズル列毎に、例えば異なる組成のインクを吐出可能になっている。図２の例では、ノズル列がインクの組成に対応して４列設けられており、各ノズル列が主走査方向に沿って配列されている。具体的には、顔料インクを吐出可能なノズル列１６Ａ、第１染料インクを吐出可能なノズル列１６Ｂ、第２染料インクを吐出可能なノズル列１６Ｃ、第３染料インクを吐出可能なノズル列１６Ｄからなる。
【００７６】
図２の例では、ノズル列１６Ａ〜１６Ｄは、それぞれ、ノズル面２１上で主走査方向に対して直交する方向に延びているが、これに限定されず、ノズル面２１内で主走査方向に対して直交する方向に角度を与えられて配置されていてもよい。
【００７７】
吐出されるインクの種類をノズル列毎に変更するためには、例えば、インクカートリッジ３ａ〜３ｄの配列順序を入れ替えることによって行うことができる。
【００７８】
ノズル孔２１ｂは、所定のパターンで複数配列されることにより、ノズル列を形成する。本実施形態では、ノズル孔２１ｂは、ノズル面２１ａにおける主走査方向と直交する方向に沿って並列に配置されているが、これに限定されず、例えばノズル面２１ａにおける主走査方向と直交する方向に沿ってジグザグ状に配置されていてもよい。なお、ノズル列を構成するノズル孔２１ｂの数は、特に限定されるものではい。
【００７９】
インクジェットヘッド２の移動範囲のうちプラテン５の外側の領域には、インクジェットヘッド２の走査起点となるホームポジションが設定されている。このホームポジションには、キャップ部材１２およびワイプ部材１３を含むメンテナンスユニット１１が設けられている。
【００８０】
メンテナンスユニット１１は、印字動作以外でインクジェットヘッド２をキャップ部材１２でキャッピングしてインクの蒸発を抑制する保湿動作と、インクジェットヘッド２の各ノズル孔２１ｂからインクをキャップ部材１２に予備吐出させることで増粘インクによるノズル孔２１ｂの目詰まり防止やノズル孔２１ｂのメニスカスを調整してインクジェットヘッド２から正常にインクを吐出させるフラッシング動作と、キャップ部材１２でインクジェットヘッド２をキャッピングした後に不図示の吸引ポンプを駆動させて各ノズル孔２１ｂから粘性が高くなったインクや付着したゴミ等を強制吸引してメニスカスを調整し、インクジェットヘッド２から正常にインクを吐出させる吸引動作（ヘッドクリーニング）と、インクジェットヘッド２のノズル面２１ａ（図２参照）をワイプ部材１３で払拭（ワイピング）することでノズル孔２１ｂ近傍に付着したインクや増粘したインク等を除去したり、ノズル孔２１ｂのメニスカスを破壊してメニスカスを再調整させるパージ処理を行うワイピング動作と、を実行する構成となっている。
【００８１】
図１の例では、ワイプ部材１３は、メンテナンスユニット１１が設けられた領域のうち、印刷領域側に設置されている。また、図２に示すように、ワイプ部材１３は、ノズル面２１ａにおけるノズル列１６Ａ〜１６Ｄと並列に配置されている。本発明のインクセットであれば、顔料インクと染料インクとが混合しても顔料凝集を生じないため、ワイプ部材１３の配置に制限はなく、ノズル列１６Ａ〜１６Ｄに対して並列でも、直交してもよい。より好ましくは並列配置が好ましい。キャリッジ４の動作のみでノズル面２１ａをワイピングできるため、メンテナンスユニットの構造が簡易になるため、小型化、低コスト化を実現できる。
【００８２】
図３は、吸引動作における、インクジェットヘッド２のノズル面２１ａとキャップ部材１２の配置を示す図である。キャップ部材１２は、キャップ本体１２ａと、インク吸収材１２ｂと、廃インク吸引口１２ｃとを備える。図３に示すように、顔料インクのノズル列１６Ａと染料インクのノズル列１６Ｂの間隔をＡμｍ、吸引時のノズル面２１ａとインク吸収材１２ｂとの間の距離をＢμｍとするとき、Ａ＞Ｂの関係にある。さらに詳しく説明すると、距離Ｂは、インクジェットヘッドがキャップ部材でキャッピングした際、ノズルからしみ出たインク滴の一部がインク吸収材に接触した時の吸収材の位置とノズル面との距離を表す。
【００８３】
図３に示す構成によれば、顔料インクのノズル列１６Ａと染料インクのノズル列１６Ｂとが近接配置されているため、キャップ部材１２による吸引時に、ノズル面２１ａ上のインクがインク吸収材１２ｂに吸収される前にノズル面上で顔料インクと染料インクが混合してしまう。本実施形態によれば、各染料インクのカリウムイオン濃度を５０ｐｐｍに規定していることから、ノズル面上でノズル列１６Ａの顔料インクとこれに隣接するノズル列１６Ｂの染料インクが混合した場合であっても、顔料の凝集を抑制することができる。このため、ノズル列を高集積化しても、簡易なメンテナンスユニットで目詰まりを抑制することができる記録方法を提供できる。
【００８４】
（変形例）
図４は、本実施形態に係るインクジェットヘッド２のノズル面の他の例を示す概略図である。ノズル面２１ａには、複数のノズル列１１６が配列されている。図４の例では、複数のノズル列１１６は、顔料インクを吐出するためのノズル列１１６Ａと、染料インクを吐出するためのノズル列１１６Ｂと、からなる。なお、ノズル列は２列に限らず、さらに設けられていてもよい。
【００８５】
ノズル列１１６Ｂは、互いに異なる色相の染料インクを吐出するために、ノズル孔２１ｂの配列された方向（以下、「Ｂ方向」ともいう。）に沿って、所定数のノズル孔２１ｂを含む複数の群に分割して用いられる。なお、Ｂ方向は、ノズル面２１ａにおける主走査方向と直交する方向ともいえる。
【００８６】
図４の例では、ノズル列１１６Ｂは、６個のノズル孔２１ｂを一つの群として分割されており、第１群１１６ａ、第２群１１６ｂおよび第３群１１６ｃからなる。なお、１つの群を構成するノズル孔２１ｂの数は、特に限定されるものではない。また、群を構成するノズル孔２１ｂの数は、群毎に同一であっても、異なっていてもよい。
【００８７】
図示しないが、インクカートリッジは、第１群１１６ａから第１染料、第２群１１６ｂから第２染料、第３群１１６ｃから第３染料がそれぞれ吐出できるように配置されている。
【００８８】
図４の例では、ノズル列１１６Ａおよび１１６Ｂは、それぞれ、ノズル面２１ａ上で主走査方向に対して直交する方向に延びているが、これに限定されず、ノズル面２１ａ内で主走査方向に対して直交する方向に角度を与えられて配置されていてもよい。
【００８９】
本実施形態では、ワイプ部材１３は、メンテナンスユニットが設けられた領域（ホームポジション）のうち、副走査方向の上流側に配置されている（図１参照）。また、図４に示すように、ワイプ部材１３は、ノズル面２１ａにおけるノズル列１１６Ａおよび１１６Ｂの配列方向（ノズル面２１ａにおける主走査方向）に沿って配置されている。
【００９０】
図４に示すノズル配列の場合、キャップ部材１２による吸引時に、ノズル面２１ａ上のインクがインク吸収材１２ｂに吸収される前にノズル面上でノズル列１１６Ａの顔料インクとこれに隣接するノズル列１１６Ｂの各染料インクが混合してしまう。本実施形態によれば、各染料インクのカリウムイオン濃度を５０ｐｐｍに規定していることから、ノズル面上でノズル列１１６Ａの顔料インクとノズル列１１６Ｂの各染料インクが混合した場合であっても、顔料の凝集を抑制することができる。このため、ノズル列を高集積化しても、簡易なメンテナンスユニットで目詰まりを抑制することができる記録方法を提供できる。
【００９１】
３．実施例
以下、本発明を実施例および比較例によってさらに具体的に説明するが、本発明はこれらの実施例に限定されるものではない。
【００９２】
［インク用の材料］
下記の実施例及び比較例において使用したインク用の主な材料は、以下の通りである。〔色材〕
Ｂｋ顔料Ａ  ：BONJET BLACK CW-２(オリエント社製自己分散型Ｂｋ顔料；顔料分１５％) 
Ｂｋ顔料Ｂ  ：キャボジェット３００（キャボット社製自己分散型Ｂｋ顔料；顔料分１５％）
ＤＣ−１    ：Ｃ−１に相当する染料とＣ−２に相当する染料の混合物
ＤＢ１９９  ：Ｃ．Ｉ．ダイレクトブルー１９９
ＤＣ−２    ：Ｃ−２に相当する染料
ＤＢ１９９  ：Ｄｉｒｅｃｔ  Ｂｌｕｅ１９９
ＲＲ１４１  ：Ｃ．Ｉ．リアクティブレット１４１
ＤＭ−１    ：Ｍ−１に相当する染料
ＤＭ−２    ：Ｍ−２に相当する染料
ＤＲ２２７  ：Ｃ．Ｉ．ダイレクトレッド２２７
ＤＹ８６    ：Ｄ．Ｉ．ダイレクトイエロー８６
ＤＹ−１    ：Ｙ−１に相当する染料
ＤＹ−２    ：染料ＤＹ−１のカウンターイオンを置換したものである
〔界面活性剤〕
オルフィンＥ１０１０（日信化学工業社製；アセチレングリコール系界面活性剤）
〔溶剤〕
トリエチレングリコールモノブチルエーテル
グリセリン
トリエチレングリコール
〔ｐＨ調整剤〕
トリエタノールアミン
【００９３】
［使用した染料の化学式］
上記染料ＤＣ−１，ＤＣ−２，ＤＭ−１，ＤＭ−２，ＤＹ−１，ＤＹ−２の化学式を下記にまとめて示す。
【化１３】
2018002858.tif 000014
【化１４】
2018002858.tif 000015
【化１５】
2018002858.tif 000016
【化１６】
2018002858.tif 000017
【化１７】
2018002858.tif 000018
【００９４】
［インクの調製］
各材料を下記の表１に示す組成で混合し、十分に撹拌し、各インクを得た。具体的には、各材料を均一に混合し、孔径０．６μｍのフィルタで不溶解物を除去することにより、各インクを調製した。なお、下記の表１中、数値の単位は質量％であり、合計は１００．０質量％である。リチウムイオン濃度、ナトリウムイオン濃度、カリウムイオン濃度、２価イオン濃度は、島津製作所製イオンクロマトグラフを用いて下記の条件で測定し、既知の濃度の溶液を用いて求めた検量線から、インク中の各イオン濃度を求めた。
ここで、２価イオンは銅イオン、亜鉛イオン、カルシウムイオン、マグネシウムイオンが検出され、それ以外の２価イオンは検出されなかった。よって、２価イオンの合計濃度は、銅イオン濃度、亜鉛イオン濃度、カルシウムイオン濃度、マグネシウムイオン濃度の合計を示す。
使用カラム  ：島津製作所製イオン交換樹脂（Shim-pack  IC-C4）
移動相  ：  シュウ酸溶液（２．５ｍｍｏｌ／Ｌ）
流量  ：１．０ ｍＬ／ｍｉｎ
試料注入量  ：５０μＬ
カラム温度  ：４０ ℃
サプレッサ  ：電気透析形
検出器  ：電気伝導度検出器（３０℃）
【００９５】
【表１】
2018002858.tif 000019
【００９６】
〔インクセットの製造〕
上記のようにして得られた各インクを表２に示す組み合わせでインクセットとした。なお、比較例３のインクセットは、特開２００４−３３９２８４号公報又は特開２００４−３４６１６０号公報で提案されたインクセットに相当する。
【００９７】
【表２】
2018002858.tif 000020
【００９８】
（インクセットの評価）
表２に示す実施例及び比較例のインクセットについて以下に示す評価項目に従って評価した。インクセットを吐出するインクジェット記録装置として、ＰＸ−Ｍ６５０Ｆ（セイコーエプソン社製）を用いて評価した。前記プリンターに搭載されるインクヘッドは、顔料インクと染料インクのノズル列の間の間隔が狭ピッチ（１ｍｍ）のものを１個使用し、前記プリンターに搭載されるメンテナンスユニットは、染料インクと顔料インクを合わせて１対のキャップ部材とワイパ部材で対応する単純なメンテナンスユニット（クリーニングシステムを含む）のものを使用している。キャッピング時のノズル面とインク吸収材との間の距離は０．８ｍｍであった。
【００９９】
＜発色性評価（Ｂｋ）＞
表１の各ブラックインクを、Ｘｅｒｏｘ  Ｐ（富士ゼロックス社製コピー用紙；商品名）上に、２ｍｇ／ｃｍ2の打ち込み量で５０ｍｍ×５０ｍｍのベタ印字を行った。その後、２５℃で２４時間乾燥させた。得られた印字物のＯＤ値をＳｐｅｃｔｒｏｌｉｎｏ（グレタグマクベス社製；商品名）で測定した。得られたＯＤ値を以下の基準に基づき評価した。
［判定基準］
◎・・・ＯＤ値が１．４以上
○・・・ＯＤ値が１．２以上１．４未満
△・・・ＯＤ値が１．２未満
【０１００】
＜発色性評価（Ｃｏｌ）＞
表１の各シアンインクを、ＰＸ−Ｍ６５０Ｆ（セイコーエプソン社製）に充填し、ＥＰＳＯＮ写真用紙光沢（セイコーエプソン社製；商品名）上に２ｍｇ／ｃｍ2の打ち込み量で５０ｍｍ×５０ｍｍのベタ印字を行った。その後、２５℃で２４時間乾燥させた。得られた印字物のＯＤ値をＳｐｅｃｔｒｏｌｉｎｏ（グレタグマクベス社製；商品名）で測定した。同様にマゼンタインク、イエローインクも印字を行って、同様にＯＤ値の測定を行った。得られたＯＤ値を以下の基準に基づき評価した。
［判定基準］
◎・・・シアンインク、マゼンタインク、イエローインクのＯＤ値がいずれも2.2以上
○・・・シアンインク、マゼンタインク、イエローインクのＯＤ値のいずれかが2.2未満
△・・・シアンインク、マゼンタインク、イエローインクのＯＤ値がいずれも2.2未満
【０１０１】
＜目詰まり回復性評価＞
ＰＸ−４０５Ａ（セイコーエプソン社製）に前記各実施例および各比較例のインク組成物を充填し、４０℃で１週間放置したのちの目詰まり回復性について以下の基準に従い評価した。なお、クリーニングのワイピングによる顔料凝集が原因で目詰まり不具合が生じる場合があるため、ここでは、ワイピング動作を一切実施せずに評価を行った。
［判定基準］
◎：クリーニング3回で目詰まりノズル無し
○：クリーニング6回で目詰まりノズル無し
△：クリーニング6回で目詰まりノズル有り
【０１０２】
＜凝集性評価＞
表２に示す各インクセットについて、ブラックインクと、シアンインク、マゼンタインク、イエローインクのカラーインクとの混合した場合の凝集性について評価した。ガラスプレート上に、ブラックインとシアンインクが接するように１滴滴下し、３０分後に前記インクが接した箇所を光学顕微鏡にて３０倍で観察した。同様に、マゼンタインク、イエローインクについて観察し、以下の基準で判定した。
［判定基準］
◎・・・シアンインク、マゼンタインク、イエローインクの全てで、ブラック顔料の凝集物は見られなかった。
×・・・シアンインク、マゼンタインク、イエローインクのいずれかで、ブラック顔料の凝集物が見られた。
【０１０３】
＜吐出安定性評価＞
表２で示す各インクセットを、ＰＸ−Ｍ６５０Ｆ（セイコーエプソン社製）に充填し、ノズルチェックパターンを印字して、全ノズルが正常吐出することを確認した。その後、ヘッドクリーニングを１回動作させた後、そのまま３０分間室温放置した。再度、ノズルチェックパターンを印字した時のノズル抜け本数を観察した。この一連動作を３回実施し、３回の平均ノズル抜け本数を算出して、以下の基準で判定した。なお、前記プリンターのヘッドクリーニング動作にはワイパ部材でノズル面を拭くワイピング動作が含まれているため、顔料インクと染料インクが混合することになる。
［判定基準］
◎・・・平均ノズル抜け本数が５本未満だった。
×・・・平均ノズル抜け本数が５本以上だった。
【０１０４】
＜耐オゾン性評価＞
表２で示す各インクセットを、ＰＸ−Ｍ６５０Ｆ（セイコーエプソン社製）に充填し、ＥＰＳＯＮ写真用紙＜光沢＞（セイコーエプソン（株）社製；製品名）に、シアンインク、マゼンタインク、イエローインクを用いて、ＯＤ値が０．９〜１．１になるように調整された各色のベタ画像を印刷することによって記録物を作成した。得られた記録物のＯＤ値（Ｄ０）をＳｐｅｃｔｒｏｌｉｎｏ（商品名：Ｇｒｅｔａｇ社製）を用いて測定した。その後、記録物をオゾンウェザーメーター（商品名：ＯＭＳ―Ｌ、スガ試験機株式会社製）を使用し、温度が２３℃、湿度が５０％ＲＨ、オゾン濃度５ｐｐｍの条件下で１６時間曝露した。曝露後、記録物のＯＤ値（Ｄ）を、Ｓｐｅｃｔｒｏｌｉｎｏ（商品名：Ｇｒｅｔａｇ社製）を用いて測定し、次式により各色の光学濃度残存率（ＲＯＤ）を求め、その最大ＲＯＤと最小ＲＯＤの差を求め、下記判定基準により、耐オゾン性を評価した。
ＲＯＤ（％）＝（Ｄ／Ｄ０）×１００
測定条件：光源フィルタなし、光源：Ｄ５０、視野角２度
得られる評価としては、最大ＲＯＤと最小ＲＯＤの差が小さいインクセットがオゾン暴露による色相変化が少ないことを示し、優れている。
［判定基準］
◎・・・最大ＲＯＤと最小ＲＯＤの差が１５％以下
○・・・最大ＲＯＤと最小ＲＯＤの差が１５％超３０％以下
×・・・最大ＲＯＤと最小ＲＯＤの差が３０％超
【０１０５】
表２に示すように、実施例１〜４のインクセットは、目詰まり、発色性、印字安定性（クリーニング動作に伴う吐出安定性）について、いずれも高い評価が得られた。これに対して、比較例１，２のインクセットは、顔料インクと染料インクが混合することにより顔料の凝集が生じやすく、印字安定性（クリーニング動作に伴う吐出安定性）について低い評価となった。また、比較例３は、発色性に劣る結果となった。
【符号の説明】
【０１０６】
１…プリンター、２…インクジェットヘッド、３（３ａ，３ｂ，３ｃ，３ｄ）…インクカートリッジ、４…キャリッジ、５…プラテン、６…被記録媒体、７…キャリッジ移動機構、８…媒体送り機構、９…ガイドロッド、１０…リニアエンコーダ、１１…メンテナンスユニット、１２…キャップ部材、１２ａ…キャップ本体、１２ｂ…インク吸収材、１２ｃ…廃インク吸引口、１３…ワイプ部材、１６，１１６…複数のノズル列、１６Ａ，１６Ｂ，１６Ｃ，１６Ｄ，１１６Ａ，１１６Ｂ…ノズル列、２１ａ…ノズル面、２１ｂ…ノズル孔、２１ｃ…インク、１１６ａ…第１群、１１６ｂ…第２群、１１６ｃ…第３群、ＣＯＮＴ…制御装置
【図１】
2018002858.tif 000027
【図２】
2018002858.tif 000028
【図３】
2018002858.tif 000029
【図４】
2018002858.tif 000030